(57)【要約】【課題】案内流路の出口付近における球詰まりの発生を防止できる遊技機の球受皿案内流路を提供する。【解決手段】球受皿２にて受けた遊技球を遊技球処理部へ案内する案内流路として、球受皿２の底面より下方に向かって筒状に傾斜穴２０を形成する。この傾斜穴２０には、遊技球が１段となって１個ずつ前進する位置の後方であって、２段重ね状態で流下する遊技球を１段に減少させて整列規制する位置における傾斜上面に、第１の凹曲面５３ａ及び第２の凹曲面５３ｂを配し、第１の凹曲面５３ａに比べて第２の凹曲面５３ｂを大きな曲率とする。第２の凹曲面５３ｂは、上下に重ねられた遊技球の高さよりもやや低い位置から、遊技球の１個分程度に低くした高さの位置の間で、上流から下流に沿って遊技球の曲面よりも大きな曲率の緩やかな円弧状に設けられ、遊技球を２段重ねから１段へと整列させる。【選択図】図６
2006110384.tif 000002
【特許請求の範囲】
【請求項１】
遊技球を用いて遊技を行う遊技機の前面に設けられ、前記遊技球を受ける球受皿において、前記球受皿にて受けた前記遊技球を遊技球処理部へ案内する案内流路として、前記球受皿底面より下方に向かって筒状に傾斜穴を形成し、この傾斜穴には、遊技球が１段となって１個ずつ前進する位置の後方であって、２段重ね状態で流下する遊技球を１段に減少させて整列規制する位置における傾斜上面に、第１の凹曲面及び第２の凹曲面を配し、第１の凹曲面に比べて第２の凹曲面を大きな曲率に形成して、
前記第２の凹曲面は、上下に重ねられた遊技球の高さよりもやや低い位置から、遊技球の１個分程度に低くした高さの位置の間で、上流から下流に沿って遊技球の曲面よりも大きな曲率の緩やかな円弧状に設けられ、遊技球を２段重ねから１段へと整列させることを特徴とする遊技機の球受皿案内流路。
【発明の詳細な説明】
【技術分野】
【０００１】
本発明は、パチンコ遊技機等の遊技機に備えた球受皿に係り、特に遊技球を球受皿から発射装置側へ供給する球受皿の案内流路に関するものである。
【背景技術】
【０００２】
従来よりある、パチンコ遊技機等の遊技機は、その前面に、遊技の進行状況に応じて払い出される賞球や、現金あるいは遊技球貸し出し専用カード（パチンコ・プリペイドカード）により貸し出された貸球を受けるための球受皿が設けられている。
【０００３】
この球受皿の底面は賞球や貸球が払い出される球供給口を上流側とし、球発射装置（以下、発射装置と称す）等へ遊技球を案内する案内流路入口を下流側とした傾斜が設けられている。
【特許文献１】特開平１０−２９５９０９号公報
【発明の開示】
【発明が解決しようとする課題】
【０００４】
ところで、発射装置へは遊技球を１個ずつ供給する必要から案内流路の上流側で遊技球を受け入れて複数段重ねの混雑した状態から下流側の案内流路入口に到達するまでに遊技球が縦１列となるように案内流路の面傾斜が一様な傾斜で形成されている。
【０００５】
しかしながら、面傾斜が一様な傾斜で形成された従来の案内流路では、遊技球を複数段重ねの状態から１段へと規制する際に、少なくともクサビ状の案内流路の出口付近で球詰まりが発生することが多々あった。
【０００６】
球受皿の案内流路内は指などが入らない狭い構造となっているので、球詰まりが発生すると、球詰まりを解除するのに多大な時間を要し、遊技者に不利益を与えるばかりでなく、ホール側にも不利益を与えることになる。
【０００７】
本発明は、前記問題点に鑑みなされたもので、案内流路の出口付近における球詰まりの発生を防止できる遊技機の球受皿案内流路を提供することを技術的課題とする。
【課題を解決するための手段】
【０００８】
本発明の遊技機の球受皿案内流路は、前述の技術的課題を解決するために以下のように構成されている。すなわち、本発明の遊技機の球受皿案内流路は、遊技球を用いて遊技を行う遊技機の前面に設けられ、前記遊技球を受ける球受皿において、前記球受皿にて受けた前記遊技球を遊技球処理部へ案内する案内流路として、前記球受皿底面より下方に向かって筒状に傾斜穴を形成し、この傾斜穴には、遊技球が１段となって１個ずつ前進する位置の後方であって、２段重ね状態で流下する遊技球を１段に減少させて整列規制する位置における傾斜上面に、第１の凹曲面及び第２の凹曲面を配し、第１の凹曲面に比べて第２の凹曲面を大きな曲率に形成して、前記第２の凹曲面は、上下に重ねられた遊技球の高さよりもやや低い位置から、遊技球の１個分程度に低くした高さの位置の間で、上流から下流に沿って遊技球の曲面よりも大きな曲率の緩やかな円弧状に設けられ、遊技球を２段重ねから１段へと整列させることを特徴とする。
【０００９】
この構成によれば、案内流路の傾斜穴の傾斜上面に第１の凹曲面及び第２の凹曲面を配し、第１の凹曲面に比べて第２の凹曲面を大きな曲率に形成して、前記第２の凹曲面は、上下に重ねられた遊技球の高さよりもやや低い位置から、遊技球の１個分程度に低くした
高さの位置の間で、上流から下流に沿って遊技球の曲面よりも大きな曲率の緩やかな円弧状に設けので、パチンコ玉を円滑に複数段重ねから１段へと規制して整列させることができる。従って、案内流路内で球詰まりが発生しにくくなった。
【００１０】
また、本発明の遊技機の球受皿案内流路にて案内する前記遊技球処理部とは、前記筒状の案内流路により案内された遊技球を打出し処理させる発射装置とすることができる。
【００１１】
この構成によれば、遊技球を打出し処理させる発射装置へ案内される前記遊技球を円滑に流動させることができるため、球詰まりによる打出し処理の停止、即ち遊技の中断がされることがなくなり、遊技機の稼働を向上させることが可能となった。
【００１２】
従来の案内流路では、傾斜穴を構成する面が一様な傾きに形成されていたため、下流側で遊技球の流動を不可とする重ね状態となり球詰まりが発生していたが、案内流路の傾斜面に第１の凹曲面及び第２の凹曲面を配したことで、円滑にパチンコ玉を複数段重ねから１段へと整列させることができる。
【発明の効果】
【００１３】
本発明によれば、パチンコ玉を円滑に複数段重ねから１段へと規制して整列させることができるので、案内流路内で球詰まりが発生しにくくなった。
【発明を実施するための最良の形態】
【００１４】
以下、本発明の一実施の形態に係る遊技機の球受皿案内流路を図１〜図９に基づいて詳細に説明する。なお、この実施の形態では、遊技機をパチンコ遊技機として説明する。
【００１５】
［遊技機の構造］パチンコ遊技機Ｉは、図１Ｒ>１の正面図に示すように、縦長な方形状
に枠組みにて構成されパチンコ遊技機Ｉの設置場所に強固に固定される外枠３と、その外枠３に一側を保持され、且つその外枠３に対して開閉自在に設けられた表枠４と、その表枠４の前面上部に開閉自在に設けられた窓枠５とを備え、その表枠４にはパチンコ遊技機Ｉを構成する主要構成部品のほぼ全てが集約されて構成されている。
【００１６】
表枠４に設けられる主要構成部品としては、盤面上が遊技領域とされる遊技盤６と、この遊技盤６に設けられた遊技領域に遊技球（以下、パチンコ玉という）を打ち出す発射装置（遊技球処理部）７と、発射装置７を操作するための操作ハンドル８と、パチンコ遊技機Ｉに供給すべきパチンコ玉、およびパチンコ玉が入賞口１５，１５，１８に入り入賞した際にパチンコ遊技機Ｉから払い出される賞球の一部を貯留する球受皿２と、必要に応じて所定個数の弾球を排出する弾球払出ユニット（図示せず）と、遊技盤６の裏面側の方向に設けられた各種装置を制御することで遊技状態を制御する制御装置（図示せず）とが挙げられる。
【００１７】
また、パチンコ遊技機Ｉには、表枠４に対して開閉自在な窓枠５が設けられている。この窓枠５は、遊技盤６の遊技領域全体をその枠内にほぼ覗きみることができる透視窓９を備えている。
【００１８】
この透視窓９の外周に沿って装飾ＬＥＤ１０、装飾ランプ１１，１１、スピーカー１２，１２等が設けられている。この装飾ＬＥＤ１０や装飾ランプ１１，１１は、遊技の進行状況に応じて点滅する。また、スピーカー１２，１２は遊技の進行状況に応じて各種効果音を発する。
【００１９】
更に、遊技盤６は、表枠４の裏面側に一体的に形成される遊技盤６の収納枠（図示せず）に収納固定されるべく、ほぼ正方形状の合板により形成されている。その前面には、ほ
ぼ円形状に植立され、発射装置７により打ち出されたパチンコ玉の行き先を誘導する誘導レール１３と、誘導レール１３によって囲まれた領域に設けられた釘や風車などの障害物１４と、パチンコ玉が入ることで賞球を払い出させる条件成立の契機となる入賞口１５，１５が複数設けられている。
【００２０】
更にまた、遊技盤６の中央には種々の図柄及び情報を遊技の進行に合わせて表示する画像表示装置１７が設けられている。画像表示装置１７の直下には、画像表示装置１７の表示内容を可変せしめる為のトリガーとなるパチンコ玉を受け入れる始動入賞口（始動口）１８が設けられている。これらの入賞口１５，１５あるいは始動入賞口１８にパチンコ玉が入ると、所定数のパチンコ玉が賞球として払い出される。
【００２１】
更に、パチンコ遊技機Ｉの最下方には何れの入賞口１５，１５，１８にも入賞しないパチンコ玉が取り込まれるアウト口１６が設けられている。
【００２２】
上述した部品や装置が設けられた遊技盤６の下方には、パチンコ玉を貯留する球受皿２が設けられている。この球受皿２は、パチンコ遊技機Ｉに対して一皿のみ設けられているが、本発明においては一皿のみのものとは限られず、上下２段と分かれてなる２つの球受皿が備えられているものでも良い。
【００２３】
球受皿２は、図１に示すように、内部にパチンコ玉を貯留する貯留部１９を有し、パチンコ遊技機Ｉ前面から前方に突出して設けられている。
【００２４】
また、図１における球受皿２の右側部分の底面は、発射装置７へパチンコ玉を案内する案内流路２０の入口（図１中左側）２１へ向かう穏やかな傾斜が設けられている。この傾斜の上流には、入賞時に払い出される賞球または貸球を払い出す球払出口２２が設けられている。
【００２５】
更に、前記斜面の途中には、第一球抜きボタン３１ａにより貯留されたパチンコ玉を排出する抜き穴２３が設けられている。抜き穴２３から排出されたパチンコ玉は、筒状の案内流路２０によりパチンコ遊技機Ｉの外部に排出され、パチンコ玉貯留箱へと収容されることとなる。
【００２６】
一方、球受皿２の左側部分の底面１９ａは、図３に示すように、右側部分の底面１９ｂへ案内流路２０の底面１９ｃへと螺旋を描くような下り斜面が設けられている。この下り傾斜の上流には、現金や専用プリペードカード等により貸し出される貸球等を供給する球貯留部２６が設けられている。すなわち、傾斜は、パチンコ玉が整列しながら球貯留部２６から、遊技機内部に設けられた発射装置７（図２参照）へパチンコ玉を案内する案内流路２０の入口２１へと流下するように形成されている。
【００２７】
また、案内流路２０の入口２１付近にも、抜き穴が設けられ、第二球抜きボタン３１ｂにより排出通路２９を介してパチンコ玉がパチンコ遊技機Ｉの外部に排出され、パチンコ玉貯留箱へと収容されることとなる。
【００２８】
［案内流路２０の構造］発射装置７へパチンコ玉を案内する案内流路２０は、図３、図４および図５に示すように、発射装置７の入口２１に向かう穏やかな傾斜下面５０と、この傾斜下面５０の長手方向に沿って傾斜下面５０を両側より挟むようにほぼ垂設された左右の側壁５１，５２と、傾斜下面５０に対向する上側に設けられた傾斜上面５３と、に囲まれた通常の傾斜穴をいう。
【００２９】
左右の側壁５１，５２の間隔は、図３に示すように、パチンコ玉１個分の玉幅よりやや
広く形成されている。従って、パチンコ玉は左右の側壁５１，５２の間を一列縦隊で発射装置７へ案内される。
【００３０】
傾斜下面５０に対向する上側に設けられた傾斜上面５３は、図５に示すように、傾斜下面５０の傾斜より急な斜面に形成されている。すなわち、傾斜上面５３の傾斜は、図６に示すように、傾斜下面５０との関係において、案内流路２０の上流端側がパチンコ玉２．５個分程度の高さであったものが、下流端側ではパチンコ玉１個分程度の高さとなる傾きに形成されている。
【００３１】
また、傾斜上面５３は前記傾きに一様に形成されたものではなく、その面に凹凸が複数形成されている。この凹凸は、傾斜下面５０との関係において、パチンコ玉２個分程度の高さの位置から始まり、パチンコ玉１個分程度の高さの位置まで続く。この実施の形態では、パチンコ玉２個分程度の高さの位置に、上流から下流に沿って、第１の凹曲面５３ａと第２の凹曲面５３ｂが形成されている。なお、第１の凹曲面５３ａより第２の凹曲面５３ｂの方が、大きな曲率に形成されている。また、パチンコ玉１個分程度の高さの位置に、上流から下流に沿って、第１の凸部５３ｃと第３の凹曲面５３ｄが形成されている。そして、傾斜上面５３は、その面に形成された第１の凹曲面５３ａ、第２の凹曲面５３ｂ、第１の凸部５３ｃ及び第３の凹曲面５３ｄ等の凹凸部を配しながら、下流端側ではパチンコ玉１個分程度の高さとなるように形成されている。
【００３２】
次に、この実施の形態にかかる遊技機の案内流路の作用を説明する。球受皿２に所定数貯留されたパチンコ玉は、底面に形成された下り斜面に沿って螺旋を描くように、案内流路２０側に移動する（図３参照）。そして、案内流路２０の上流側では、流動されてきた所定数のパチンコ玉が３段程度６０ａに重なった状態で案内流路２０に入る（図７参照）。案内流路２０に入ったパチンコ玉は、案内流路２０の上流側で３段程度６０ａの重ねから２段程度６０ｂの重ねに規制され、更に第１の凹曲面５３ａ、第２の凹曲面５３ｂ、第１の凸部５３ｃ及び第３の凹曲面５３ｄに沿って停留することなく徐々に規制されながら、傾斜下面５０を流下し、最終的に発射装置７の入口２１において１段６０ｃの１列縦隊に整列される。
【００３３】
この実施の形態によれば、傾斜上面が一様な傾きに形成された従来の案内流路内でしばしば発生していた球詰まりが、傾斜上面５３に第１の凹曲面５３ａ、第２の凹曲面５３ｂ、第１の凸部５３ｃ及び第３の凹曲面５３ｄ等の凹凸部を配したことで、円滑にパチンコ玉を複数段重ねから１段６０ｃへと整列させることができる。従って、案内流路内で球詰まりが発生しにくくなった。
【００３４】
図８は、図７の状態から発射装置７の入口２１に到達する前にパチンコ玉が停留してしまい、空間αが生じた状態を示している。この場合、この実施の形態のように空間αの上部に第２の凹曲面５３ｂが設けられているので、パチンコ玉の自重などで荷重が分散され円滑に複数段重ねから１段６０ｃに整列させることができる。
【００３５】
図９は、図８の状態から、２段目と３段目の間に空間βが生じた状態を示している。この場合も、この実施の形態のように上面に凹凸部が複数設けられているので、パチンコ玉の自重などで荷重が分散され円滑に複数段重ねから１段６０ｃに整列させることができる。
【図面の簡単な説明】
【００３６】
【図１】本発明の一実施の形態における遊技機の斜視図である。
【図２】本発明の一実施の形態における遊技機の正面図であり、球受皿台を開いた状態を示す。
【図３】球受皿台の上面図である。
【図４】球受皿台の正面図であり、一部断面して案内流路部を示したものである。
【図５】球受皿台の案内流路の一部詳細図である。
【図６】球受皿台の案内流路の一部詳細図であり、パチンコ球が貯留された状態を示す。
【図７】球受皿台の案内流路の詳細図であり、パチンコ球が貯留された状態を示す。
【図８】球受皿台の案内流路の詳細図であり、パチンコ球が貯留された他の状態を示す。
【図９】球受皿台の案内流路の詳細図であり、パチンコ球が貯留されたさらに他の状態を示す。
【符号の説明】
【００３７】
Ｉ…パチンコ遊技機（遊技機）
２…球受皿
３…外枠
４…表枠
５…窓枠
６…遊技盤
７…発射装置
８…操作ハンドル
９…透視窓
１０…装飾ＬＥＤ
１１…装飾ランプ
１２…スピーカー
１３…誘導レール
１４…障害物
１５…入賞口
１６…アウト口
１７…画像表示装置
１８…始動口
１９…貯留部
２０…案内流路（傾斜穴）
２１…入口
２２…球払出口
２３…抜き穴
２６…球貯留部
２９…排出通路
５３ａ…第１の凹曲面
５３ｂ…第２の凹曲面
【図１】
2006110384.tif 000003
【図２】
2006110384.tif 000004
【図３】
2006110384.tif 000005
【図４】
2006110384.tif 000006
【図５】
2006110384.tif 000007
【図６】
2006110384.tif 000008
【図７】
2006110384.tif 000009
【図８】
2006110384.tif 000010
【図９】
2006110384.tif 000011